(57)【要約】【課題】押しボタンおよび品目表示部からなる品目選択部を限られたスペース内で増減すること、および配列状態を変更することをコスト高を招くことなく実現可能な券売機を提案すること。【解決手段】券売機１は、５個の押しボタン６が横に一列に配列された構成の押しボタンユニット３０と、５個の品目表示部７が横に一列に配列された構成の品目表示部ユニット２０とが、前面パネル部分４上において上下に交互に９組取り付けられ、４５個の品目選択部５が配列された状態となっている。品目表示部ユニット２０の幅を狭くすると、限られたスペース内において品目選択部５の個数を増やすことができ、品目表示部ユニット２０の幅を広くすると、表示可能な品目情報を増やすことができる。品目表示部ユニット２０は横方向に引き出して交換でき、品目変更時の作業も簡単かつ短時間で行うことができる。【選択図】図１
0003137273.tif 000002
【実用新案登録請求の範囲】
【請求項１】
金銭が投入されて品目選択用の押しボタンが操作されると、当該押しボタンに割り当てられている品目表示部に表示されている品目名、金額などの所定情報が印刷された券を発行する券売機において、
所定個数の前記押しボタンが一定の間隔で一列に配列されている押しボタンユニットと、
この押しボタンユニットの前記押しボタンの個数に対応する個数の前記品目表示部が当該押しボタンの間隔と同一の間隔で一列に配列されている品目表示部ユニットと、
前記押しボタンユニットおよび前記品目表示部ユニットが、各押しボタンに各品目表示部が対応する位置となるように、前記押しボタンおよび前記品目表示部の配列方向とは直交する方向に交互に取り付けられている前面パネルとを有していることを特徴とする券売機。
【請求項２】
請求項１に記載の券売機において、
前記押しボタンユニットのそれぞれは同一幅および同一長さのユニットであり、
前記品目表示部には、同一長さで幅の異なるユニットが含まれていることを特徴とする券売機。
【請求項３】
請求項１または２に記載の券売機において、
前記品目表示部ユニットは、前記前面パネルに対して着脱可能な状態で取り付けられていることを特徴とする券売機。
【請求項４】
請求項３に記載の券売機において、
前記前面パネルに取り付けられている各押しボタンユニットの間に、これら押しボタンユニットの長さ方向に沿って、各品目表示部ユニットが引き抜き可能な状態で挿入されていることを特徴とする券売機。
【請求項５】
請求項１ないし４のうちのいずれかの項に記載の券売機において、
前記品目表示部ユニットは、前記品目表示部の配列方向に長い長方形の一定厚さの光拡散板と、この光拡散板の表面に積層されている光透過性の品目表示シートと、この品目表示シートの表面に積層されている透明な保護シートとを備えていることを特徴とする券売機。
【請求項６】
請求項５に記載の券売機において、
前記品目表示シートは、その長さ方向に沿って複数の同一長さの表示区画に仕切られ、各表示区画には、品目および金額を含む情報が印刷されていることを特徴とする券売機。
【請求項７】
請求項５に記載の券売機において、
前記品目表示シートは、その長さ方向に配列された同一長さの複数の表示片から構成されており、各表示片に、品目および金額を含む情報が印刷されていることを特徴とする券売機。
【請求項８】
請求項６または７に記載の券売機において、
前記光拡散板は、その長さ方向に沿って一定の長さ毎に遮光部によって仕切られており、隣接する遮光部の間の部位が各表示区画あるいは各表示片に対応していることを特徴とする券売機。
【請求項９】
請求項８に記載の券売機において、
前記光拡散板は、その幅方向の一方の端面に沿って遮光部が形成されており、その幅方向の他方の端面は光入射面とされており、
この光入射面に対峙している前記押しボタンユニットの部位にはバックライト用の光源が配置されていることを特徴とする券売機。
【考案の詳細な説明】
【技術分野】
【０００１】
本考案は、入金後に操作パネルに配列されている複数の品目選択用の押しボタンの一つが操作されると、それに対応する食券などの券を発行する券売機に関する。更に詳しくは、券売機の操作部の改良に関する。
【背景技術】
【０００２】
食券などの品目チケットの券売機には、一般に、その前面の操作パネルに複数の品目選択用の押しボタンが配列されており、各押しボタンの上側には、品目および金額が印刷された品目ラベルが貼り付け、あるいは装着されている品目表示部が配列されている。券購入者は、紙幣あるいは硬貨を投入して、希望する品目ラベルが付されている品目表示部の下の押しボタンを操作することにより、品目チケットを購入することができる。このような券売機は、特許文献１、２、３に開示されている。これらの特許文献に開示の券売機では、押しボタンおよび品目表示部が一体化された構成の同一寸法の品目選択モジュールが、券売機の操作パネル上にマトリックス状に配列されている。
【特許文献１】特開２００３−１６２７６３号公報
【特許文献２】特開２００６−１３９３５５号公報
【特許文献３】特開２００６−１３４１９７号公報
【考案の開示】
【考案が解決しようとする課題】
【０００３】
このように、同一寸法の品目選択モジュールを用いる場合には、一部が故障した場合の交換作業、品目の変更作業においては、交換対象あるいは変更対象の品目選択モジュールを外して新しいものに取り替えればよい。したがって、交換作業、品目の変更作業が容易である。
【０００４】
しかしながら、選択品目が多い場合には、それに対応した個数の品目選択モジュールを操作パネルに配列する必要がある。したがって、選択品目の増加に応じてスペースも増加する。このため、操作パネルにおけるスペースに制約がある場合には、選択品目の数を増やせないという問題点がある。
【０００５】
また、同一寸法の品目選択モジュールを用いているので、操作パネル上には押しボタンが均等割りの状態で配列されている。したがって、例えば、一部の品目表示部を広くして品目名、金額に加えて、その写真、特徴などを表示することができない等のレイアウト上の制約、変形割ができないという制約などがある。
【０００６】
このような問題点を解消するために、各品目選択用の押しボタンおよび品目表示部を個別に製作して操作パネルに取り付けることも考えられる。しかし、これでは製作コストが大幅にアップし、故障時、品目変更時の作業を簡単に行うことができないので現実的な解決方法ではない。
【０００７】
本考案の課題は、このような点に鑑みて、限られたスペース内において多数個の品目を選択することができ、品目表示部のレイアウトの制約を緩和でき、故障時、品目変更時の作業を簡単に行うことができ、しかも、製造コストをアップさせることなく製作することができる券売機を提案することにある。
【課題を解決するための手段】
【０００８】
上記の課題を解決するために、本考案は、金銭が投入されて品目選択用の押しボタンが操作されると、当該押しボタンに割り当てられている品目表示部に表示されている品目名、金額などの所定情報が印刷された券を発行する券売機において、
所定個数の前記押しボタンが一定の間隔で一列に配列されている押しボタンユニットと、
この押しボタンユニットの前記押しボタンの個数に対応する個数の前記品目表示部が当該押しボタンの間隔と同一の間隔で一列に配列されている品目表示部ユニットと、
前記押しボタンユニットおよび前記品目表示部ユニットが、各押しボタンに各品目表示部が対応する位置となるように、前記押しボタンおよび前記品目表示部の配列方向とは直交する方向に交互に取り付けられている前面パネルとを有していることを特徴としている。
【０００９】
本考案の券売機では、押しボタンと品目表示部を備えた品目選択モジュールを縦横に配列する代わりに、これら押しボタンおよび品目表示部を分離して、複数個の押しボタンを備えた押しボタンユニットおよび複数個の品目表示部を備えた品目表示部ユニットを形成し、これらのユニットを交互に前面パネル上に配列してある。
【００１０】
押しボタンユニットの幅および品目表示部ユニットの幅を狭くすれば、多数組の押しボタンユニットおよび品目表示部ユニットを配列できる。すなわち、同一のスペース内において、より多数の品目を選択可能な操作部を実装できる。また、品目表示部ユニットの幅を増減することにより、各品目表示部ユニットの品目表示部に表示可能な情報量を増減できる。したがって、操作部のレイアウト変更にも対応できる。さらに、複数個の押しボタン毎にユニット化され、複数個の品目表示部毎にユニット化されているので、故障時、品目変更時には、該当する押しボタン、品目表示部が含まれているユニットを前面パネルから外して、対応する大きさの新しいユニットに交換し、あるいは、変更後の品目が表示されているユニットに交換すればよい。したがって、故障時の作業、品目変更時の作業も簡単である。さらにまた、複数の押しボタンがユニット化され、複数の品目表示部がユニット化されているので、製作コストの増加も抑制できる。
【００１１】
ここで、一般的には、前記押しボタンユニットのそれぞれは同一幅および同一長さのユニットとし、前記品目表示部として、同一長さで幅の異なるユニットを用意しておけばよい。
【００１２】
また、券売機の使用開始後においては、押しボタンユニットは故障しない限り前面パネルから外されることはないが、品目表示部ユニットは、品目変更のために、しばしば交換されることがある。交換作業を簡単に行うことができるようにするためには、前記品目表示部ユニットは、前記前面パネルに対して着脱可能な状態に取り付けられていることが望ましい。
【００１３】
例えば、前記前面パネルに取り付けられている各押しボタンユニットの間に、これら押しボタンユニットの長さ方向に沿って、各品目表示部ユニットを引き抜き可能な状態で挿入しておけばよい。あるいは、光拡散板を予め前面パネルの側に取り付けておき、品目表示シートと、透明な保護シートを引き抜き可能な状態で挿入しておいてもよい。
【００１４】
次に、前記品目表示部ユニットは、前記品目表示部の配列方向に長い長方形の一定厚さの光拡散板と、この光拡散板の表面に積層されている光透過性の品目表示シートと、この品目表示シートの表面に積層されている透明な保護シートとを備えた構成とすることができる。
【００１５】
この場合には、前記品目表示シートは、その長さ方向に沿って複数の同一長さの表示区画に仕切られ、各表示区画に、品目および金額を含む情報が印刷された構成とすればよい。
【００１６】
この代わりに、前記品目表示シートを、その長さ方向に配列された同一長さの複数の表示片から構成し、各表示片に、品目および金額を含む情報を印刷しておいてもよい。
【００１７】
また、前記光拡散板は、その長さ方向に沿って一定の長さ毎に遮光部によって仕切り、隣接する遮光部の間の部位を各表示区画あるいは各表示片に対峙させればよい。
【００１８】
さらに、前記光拡散板の幅方向の一方の端面に沿って遮光部を形成し、幅方向の他方の端面を光入射面とし、この光入射面に対峙している前記押しボタンユニットの部位にバックライト用の光源を配置しておけばよい。
【考案の効果】
【００１９】
本考案の券売機では、押しボタンが配列された押しボタンユニットと、品目表示部が配列された品目表示部ユニットとを、前面パネル上に交互に取り付けて、品目選択用の操作部を構成している。すなわち、押しボタンと品目表示部を備えた品目選択モジュールを縦横に配列する代わりに、これら押しボタンおよび品目表示部を分離して、複数個の押しボタンを備えた押しボタンユニットおよび複数個の品目表示部を備えた品目表示部ユニットを形成し、これらのユニットを交互に前面パネル上に配列してある。
【００２０】
押しボタンユニットの幅および品目表示部ユニットの幅を狭くすれば、多数組の押しボタンユニットおよび品目表示部ユニットを配列できるので、同一のスペース内において、より多数の品目を選択可能な操作部を実装できる。
【００２１】
また、品目表示部ユニットの幅を増減することにより、各品目表示部ユニットの品目表示部に表示可能な情報量を増減できる。したがって、操作部のレイアウト変更にも対応できる。
【００２２】
さらに、複数個の押しボタン毎にユニット化され、複数個の品目表示部毎にユニット化されているので、故障時、品目変更時には、該当する押しボタン、品目表示部が含まれているユニットを前面パネルから外して、対応する大きさの新しいユニットに交換し、あるいは、変更後の品目が表示されているユニットに交換すればよい。したがって、故障時の作業、品目変更時の作業も簡単である。
【００２３】
さらにまた、複数の押しボタンがユニット化され、複数の品目表示部がユニット化されているので、製作コストの増加も抑制できる。
【考案を実施するための最良の形態】
【００２４】
以下に、図面を参照して、本考案を適用した食券の券売機の一例を説明する。
【００２５】
(全体構成)
図１は本実施の形態に係る券売機を示す外観斜視図である。この図に示すように、券売機１は、縦長の直方体形状の筐体２を備え、その前面が一方の側端を中心として開閉可能な前面扉３とされている。前面扉３の前面パネル部分４には、縦横に長方形の品目選択部５が４５個配列されている。各品目選択部５は、品目選択用の押しボタン６と、この上側に配置された品目表示部７から構成されており、品目表示部７には、少なくとも品目および金額を含む品目情報が表示されている。押しボタン６を押すと、当該押しボタン６に割り当てられている品目を購入するための品目チケット、本例では食券８が発行される。
【００２６】
前面パネル部分４における品目選択部５の上側の部位には、紙幣挿入部９、硬貨投入口１０、返却レバー１１、および金額などの情報を表示するための液晶表示部１２が配置されている。また、前面パネル部分４における品目選択部５の下側の部位には、食券８および釣銭の払い出し口１３および紙幣払い出し口１４が配置されている。
【００２７】
ここで、前面パネル部分４には、５個の品目表示部７が横一列に配列された構成の品目表示部ユニット２０と、５個の押しボタン６が同じく横一列に配置された構成の押しボタンユニット３０とが、上側から下側に向けて交互に９セットずつ取り付けられている。これにより、品目選択部５が縦横に４５個配列された状態となっている。
【００２８】
各押しボタンユニット３０は、上下方向に一定の間隔で横方向に平行に延びる状態で、前面パネル部分４に対して裏面側からネジ止めなどによって固定されている。これらの押しボタンユニット３０の左右の端に沿って左側垂直枠板４１および右側垂直枠板４２が前面パネル部分４に固定されており、これらの左右の垂直枠板４１、４２の上端は、前面パネル部分４に固定した水平枠板４３の両端に繋がっている。
【００２９】
品目表示部ユニット２０は、各押しボタンユニット３０の間に形成されている横方向に延びている隙間に、それらの一方の端面、例えば左側の端面の側から引き抜き可能な状態で差し込まれている。また、最も上に位置している押しボタンユニット３０の上側には、この押しボタンユニット３０と水平枠板４３の間に形成されている横方向に延びる隙間に品目表示部ユニット２０が差し込まれている。本例では、左側垂直枠板４１に、上下方向に一定の間隔で品目表示部ユニット２０を差し込むための上下に長い矩形の差し込み孔４１ａが形成されている。
【００３０】
図２(ａ)および(ｂ)は、前面パネル部分４に取り付けられている品目表示部ユニット２０および押しボタンユニット３０を示す部分正面図および部分断面図である。図３は品目表示部ユニット２０を示す部分斜視図である。
【００３１】
まず、品目表示部ユニット２０は、各品目表示部７の配列方向に長い長方形の一定厚さの光拡散板２１と、この光拡散板２１の表面に積層されている光透過性の品目表示シート２２と、この品目表示シート２２の表面に積層されている透明な保護シート２３とを備えている。光拡散板２１は例えばアクリル樹脂製の板であり、その左側端部２１ａは一定幅で、品目表示シート２２および保護シート２３の合計厚さ分だけ、前面に直角に突出している。この広幅の左側端部２１ａによって、左側垂直枠板４１の差し込み孔４１ａが丁度封鎖されるようになっている。
【００３２】
この光拡散板２１は全体として光拡散性を備えているが、各品目表示部７の間の部位、および両端部は、一定幅で上下に延びる垂直遮光部２１ｂによって光学的に仕切られている。また、光拡散板２１の上端面に沿って一定幅の水平遮光部２１ｃが形成されている。これに対して光拡散板２１の下端面における垂直遮光部２１ｂの間の部分は、それぞれ光入射面２１ｄとされている。このような遮光部を備えた光拡散板２１は、例えば、インサート成形によって成形できる。また、二色成形によって成形することも可能である。
【００３３】
品目表示シート２２は光透過性の紙、プラスチックなどから形成されており、各品目表示部７に対応した部位、すなわち、光拡散板２１における隣接する垂直遮光部２１ｂの間の部位に、品目名、金額などの品目情報がそれぞれ黒インクあるいはカラーインクで印刷されている。品目表示シート２２を、各品目表示部７に対応する長さの品目ラベルを複数枚、本例では５枚横に一列に並べた構成としてもよい。
【００３４】
保護シート２３は、アクリル樹脂製の板などの光透過性の合成樹脂シート、例えば、透明な合成樹脂シートあるいは有色の合成樹脂シートから形成されている。
【００３５】
次に、押しボタンユニット３０は、前面パネル部分４の側に開口している横方向に長い一定深さの箱形断面をした合成樹脂製のユニットであり、その長さ方向に５つの区画に仕切られ、各区画には、それぞれ押しボタン６が一定量だけ押し込み可能な状態で取り付けられている。各押しボタン６に対峙している前面パネル部分４の側には、それぞれ押しボタン６を操作することによりオン状態に切り替わり発券信号を生成する接点スイッチ(図示せず)がそれぞれ配置されている。さらに、上側に位置している光拡散板２１の各光入射面２１ｄに向けてバックライト用の光を照射するＬＥＤなどの発光素子３１が、各区画に２個ずつ取り付けられている。
【００３６】
押しボタンユニット３０における各発光素子３１からの光は、光拡散板２１内に入射して拡散し、垂直遮光部２１ｂおよび水平遮光部２１ｄによって囲まれている部分が全体として発光して各品目表示部７の品目表示シート２２を裏面側から照明するバックライトとして機能する。希望する品目が表示されている品目選択部５の押しボタン６を押すと、例えば、当該品目選択部５以外の品目選択部の発光素子３１がオフになり、選択された品目選択部５のみが背面側から照明された状態になる。
【００３７】
この構成の券売機１では、５個の押しボタン６が配列されている押しボタンユニット３０と、同じく５個の品目表示部７が配列されている品目表示部ユニット２０とを、前面パネル部分４上において交互に取り付けることにより、品目選択用の操作部を構成している。すなわち、押しボタン６と品目表示部７を備えた品目選択モジュールが縦横に配列されていた従来の構成に対して、本例では、押しボタン６および品目表示部７を分離して、５個の押しボタン６を備えた押しボタンユニット３０と、５個の品目表示部７を備えた品目表示部ユニット２０を形成し、これらのユニット３０、２０を交互に前面パネル部分４上に配列してある。
【００３８】
したがって、押しボタンユニット３０の幅および品目表示部ユニット２０の幅を狭くすれば、多数組の押しボタンユニット３０および品目表示部ユニット２０を同一のスペース内に配列できる。よって、同一のスペース内において、より多数の品目を選択可能な操作部を構築できる。
【００３９】
また、品目表示部ユニット２０の幅を増減することにより、各品目表示部ユニット２０の品目表示部７に表示可能な情報量を増減できる。したがって、操作部のレイアウト変更にも対応できる。例えば、図４には、品目表示部ユニットの幅を図１に示す場合に比べて１．５倍とした場合のレイアウトを示してある。この場合には、図１の場合と同一のスペース内に、７組の押しボタンユニット３０および品目表示部ユニット２０Ａを上下に配列でき、合計３５個の品目選択部５が配列される。
【００４０】
ここで、品目表示部ユニット２０として異なる幅のものを配置することも可能である。例えば、図５に示すように、図１に示す標準幅の品目表示部ユニット２０と、この２．５倍の幅の広幅の品目表示部ユニット２０Ｂとを製作しておき、これらを組み合わせて配置してもよい。広幅の品目表示部ユニット２０Ａにおける各広幅の品目表示部７には、品目名、金額に加えて、写真、イラストなどの各種の情報を表示するのに便利である。
【００４１】
次に、本例の券売機１では、複数個の押しボタン６毎にユニット化され、複数個の品目表示部７毎にユニット化されているので、故障時、品目変更時には、該当する押しボタン、品目表示部が含まれているユニットを前面パネル部分４から外して、対応する大きさの新しいユニットに交換し、あるいは、変更後の品目が表示されているユニットに交換すればよい。したがって、故障時の作業、品目変更時の作業も簡単である。また、複数の押しボタンがユニット化され、複数の品目表示部がユニット化されているので、製作コストの増加も抑制できる。
【００４２】
特に本例では、品目変更時には、品目表示部ユニット２０を横方に引き出し、新たな品目表示部ユニットと交換すればよい。したがって、ユニットの抜き差しという簡単な作業によって品目変更を短時間で効率良く行うことができる。
【００４３】
(その他の実施の形態)
なお、上記の例は本考案を食券の券売機に適用したものである。本考案は食券以外のチケットを発行するための券売機に対しても同様に適用可能である。
【図面の簡単な説明】
【００４４】
【図１】本考案を適用した券売機の一例を示す外観斜視図である。
【図２】(ａ)および(ｂ)は、それぞれ、前面パネル部分に取り付けられている品目表示部ユニットおよび押しボタンユニットを示す部分正面図および部分断面図である。
【図３】品目表示部ユニットを示す部分斜視図である。
【図４】品目表示部ユニットおよび押しボタンユニットの別の配列例を示す説明図である。
【図５】品目表示部ユニットおよび押しボタンユニットの更に別の配列例を示す説明図である。
【符号の説明】
【００４５】
１    券売機
２    筐体
３    前面扉
４    前面パネル部分
５    品目選択部
６    押しボタン
７    品目表示部
８    食券
９    紙幣挿入部
１０  硬貨投入口
１１  返却レバー
１２  液晶表示部
１３  釣銭の払い出し口
１４  紙幣払い出し口
２０、２０Ａ、２０Ｂ  品目表示部ユニット
２１  光拡散板
２１ａ  左側端部
２１ｂ  垂直遮光部
２１ｃ  水平遮光部
２１ｄ  光入射面
２２  品目表示シート
２３  保護シート
３０  押しボタンユニット
３１  発光素子
４１  左側垂直枠板
４１ａ  差し込み孔
４２  右側垂直枠板
４３  水平枠板
【図１】
0003137273.tif 000003
【図２】
0003137273.tif 000004
【図３】
0003137273.tif 000005
【図４】
0003137273.tif 000006
【図５】
0003137273.tif 000007